(57)【要約】【課題】接続時に用紙の外れがなく、用紙接続が簡単な連続紙電子写真式印刷装置の用紙接続装置を提供する。【解決手段】用紙を一時的に台に固定するためのピンを有し、用紙の幅方向の両端部に送り穴が設けられ、長尺状に連続した用紙の終端と、もう１つの長尺状に連続した用紙の始端とを繋ぐ連続紙電子写真式印刷装置の用紙接続装置において、前記ピンの最大径が前記送り穴よりも０．１ｍｍ〜０．５ｍｍ大きいことを特徴とする。【選択図】図１
2010064847.tif 000002
【特許請求の範囲】
【請求項１】
用紙を一時的に台に固定するためのピンを有し、用紙の幅方向の両端部に送り穴が設けられ、長尺状に連続した用紙の終端と、もう１つの長尺状に連続した用紙の始端とを繋ぐ連続紙電子写真式印刷装置の用紙接続装置において、
前記ピンの最大径が前記送り穴よりも０．１ｍｍ〜０．５ｍｍ大きいことを特徴とする連続紙電子写真式印刷装置の用紙接続装置。
【請求項２】
請求項１に記載の連続紙電子写真式印刷装置の用紙接続装置において、前記ピンの直径が最大径となる部分から根元にかけて細くなるように傾きθが５度〜３０度となるようにテーパ部を設けたことを特徴とする連続紙電子写真式印刷装置の用紙接続装置。
【請求項３】
請求項１または２に記載の連続紙電子写真式印刷装置の用紙接続装置において、前記ピンを複数整列させたとき、前記用紙の端部から離れた前記ピンの高さを、用紙端部から近い前記ピンの高さより２ｍｍ〜５ｍｍ高くしたことを特徴とする連続紙電子写真式印刷装置の用紙接続装置。
【発明の詳細な説明】
【技術分野】
【０００１】
本発明は、用紙の幅方向の両端部に送り穴が設けられた連続用紙を印刷媒体として用いる連続紙電子写真式印刷装置に係り、特に装填された用紙が消耗してなくなった場合に、消費された用紙の終端と、補給する用紙の始端とを接続するために連続紙電子写真式印刷装置の用紙装填部に設けられた用紙接続装置に関するものである。
【背景技術】
【０００２】
用紙の幅方向の両端部に送り穴が設けられた連続用紙を印刷媒体として用いる連続紙電子写真式印刷装置においては、装填された用紙が消耗してなくなった場合、消費された用紙の終端と、新たに装填する用紙の始端とを連続紙電子写真式印刷装置内の用紙装填部に設けられた用紙接続装置を用いて用紙を接続して、印刷を再開する。
【０００３】
用紙の接続には接着テープを用い、消費された用紙の終端と新たに装填する用紙の始端とを接続する際に、用紙の位置決めのためにピンを用いることは公知であり、一般にピンは用紙接続装置に設けられている。
【０００４】
このような用紙接続装置において、従来用いられていた構造の一例を図４ないし図６を用いて説明する。図４は用紙接続装置の側面図、図５はその用紙接続装置の一部拡大側面図で、同図（ａ）は固定ピンが挿入された状態を示す右拡大側面図、同図（ｂ）は可動ピンが挿入された状態を示す左拡大側面図、図６はその用紙接続装置の平面図である。
【０００５】
これらの図において１は吸着溝、２はスプライステープル、３は送り穴、４は固定ピン、５は可動ピン、６は連結プレート、７は消費された用紙、８は新たに装填する用紙である。
【０００６】
用紙接続装置には、用紙接続用の接着テープをブロアなどで吸着、固定するために図６に示すように吸着溝１を用紙の幅方向に形成したスプライステープル２が設けられている。このスプライステープル２の一方の端部近くに複数本の固定ピン４が所定の間隔をおいて整列して設けられている。接続する用紙７，８の幅に応じて任意に位置調整できるように、前記固定ピン４と対向した位置に可動ピン５を設けるために、連結プレート６に用紙送り穴３のピッチに合わせた位置に可動ピン５を取り付ける。
【０００７】
固定ピン４と可動ピン５の直径は用紙送り穴３の直径より小さく設計されており、図５に示すように固定ピン４と可動ピン５の高さは同一である。連結プレート６は、用紙７，８の幅方向に沿ってスプライステープル２上を移動できるようになっている。
【特許文献１】特許第２５８６６４４号公報
【発明の開示】
【発明が解決しようとする課題】
【０００８】
従来の用紙接続装置は、用紙７と用紙８を接続する際、前記吸引溝１に沿って接着テープを、その接着面が操作面側にくるように配置し、消費された用紙７の終端と新たに装填する用紙８の始端とを位置決め用のピン４，５に併せて接着テープの上から貼り付けていた。
【０００９】
図６に示すように従来の用紙接続装置においては、位置決め用の固定ピン４と可動ピン５とが用紙送り穴３の径より小さくなっており、また図５に示すように固定ピン４の高さは同一である。そのため消費された用紙７の終端を貼り付ける際に、図４に示すように新たに装填する用紙７を湾曲させて貼り付ける作業中に、剛性の高い用紙の場合は位置決め用の固定ピン４と可動ピン５から外れることがある。そのため消費された用紙７と新たに装填する用紙８とを常に抑えながら用紙の接続作業を行う必要があり、そのために作業が煩雑で能率が悪いという欠点がある。
【００１０】
本発明の目的は、このような従来技術の欠点を解消し、接続時に用紙の外れがなく、用紙接続が簡単な連続紙電子写真式印刷装置の用紙接続装置を提供することにある。
【課題を解決するための手段】
【００１１】
前記目的を達成するために、本発明の第１の手段は、用紙を一時的に台に固定するためのピンを有し、用紙の幅方向の両端部に送り穴が設けられ、長尺状に連続した用紙の終端と、もう１つの長尺状に連続した用紙の始端とを繋ぐ連続紙電子写真式印刷装置の用紙接続装置において、
前記ピンの最大径が前記送り穴よりも０．１ｍｍ〜０．５ｍｍ大きいことを特徴とするものである。
【００１２】
本発明の第２の手段は前記第１の手段において、前記ピンの直径が最大径となる部分から根元にかけて細くなるように傾きθが５度〜３０度となるようにテーパ部を設けたことを特徴とするものである。
【００１３】
本発明の第３の手段は前記第１または第２の手段において、前記ピンを複数整列させたとき、前記用紙の端部から離れた前記ピンの高さを、用紙端部から近い前記ピンの高さより２ｍｍ〜５ｍｍ高くしたことを特徴とするものである。
【発明の効果】
【００１４】
本発明は前述のような構成になっており、接続時に用紙の外れがなく、用紙送り穴の穴がれが防止でき、用紙接続が容易な連続紙電子写真式印刷装置の用紙接続装置を提供することができる。
【発明を実施するための最良の形態】
【００１５】
以下、本発明の実施例を図１〜図３を用いて説明する。図１は用紙接続装置の一部拡大側面図で、同図（ａ）は固定ピンが挿入された状態を示す右拡大側面図、同図（ｂ）は可動ピンが挿入された状態を示す左拡大側面図、図２はその用紙接続装置の側面図、図３はその用紙接続装置の平面図である。
【００１６】
これらの図において１は吸着溝、２はスプライステープル、３は送り穴、４は固定ピン、５は可動ピン、６は連結プレート、７は消費された用紙、８は新たに装填する用紙、３６はテーパ付き固定ピン、３７はテーパ付き可動ピン、３８はテーパ部である。
【００１７】
用紙接続装置には、用紙接続用の接着テープをブロアなどで吸着、固定するために図３に示すように吸着溝１を用紙の幅方向に形成したスプライステープル２が設けられている。このスプライステープル２の一方の端部近くには、消費された用紙７と新たに装填する用紙８とを位置決めするための複数本の固定ピン４とテーパ付き固定ピン３６が所定の間隔をおいて整列して設けられている。テーパ付き固定ピン３６は、新たに装填される用紙８側で、かつ固定ピン４列の端に設けられている。
【００１８】
接続する用紙７，８の幅に応じて任意に位置調整できるように、前記固定ピン４ならびにテーパ付き固定ピン３６と対向した位置に可動ピン５ならびにテーパ付き可動ピン３７を設けるために、連結プレート６に用紙送り穴３のピッチに合わせた位置に可動ピン５とテーパ付き可動ピン３７を取り付ける。この連結プレート６は、用紙７，８の幅方向に沿ってスプライステープル２上を移動できるようになっている。
【００１９】
前記固定ピン４、テーパ付き固定ピン３６、可動ピン５ならびにテーパ付き可動ピン３７の直径はともに、消費された用紙７がテーパ付き固定ピン３６から外れないように、用紙送り穴３の直径より０．１ｍｍ〜０．５ｍｍ大きく設計されている。
【００２０】
また図１に示すように、テーパ付き固定ピン３６とテーパ付き可動ピン３７は、消費された用紙７が外れないように固定ピン４ならびに可動ピン５よりも２ｍｍ〜５ｍｍ高くし、さらに用紙送り穴３の穴がれを防止のために、ピンの直径が最大径となる部分から根元に掛けて細くなるように、ピンの軸部分に傾きθが５度〜３０度のテーパ部３８が設けられている。
【図面の簡単な説明】
【００２１】
【図１】本発明の実施例に係る用紙接続装置の一部拡大側面図で、同図（ａ）は固定ピンが挿入された状態を示す右拡大側面図、同図（ｂ）は可動ピンが挿入された状態を示す左拡大側面図である。
【図２】その用紙接続装置の側面図である。
【図３】その用紙接続装置の平面図である。
【図４】従来の用紙接続装置の側面図である。
【図５】その用紙接続装置の一部拡大側面図で、同図（ａ）は固定ピンが挿入された状態を示す右拡大側面図、同図（ｂ）は可動ピンが挿入された状態を示す左拡大側面図である。
【図６】その用紙接続装置の平面図である。
【符号の説明】
【００２２】
１：は吸着溝、
２：スプライステープル、
３：送り穴、
４：固定ピン、
５：可動ピン、
６：連結プレート、
７：消費された用紙、
８：新たに装填する用紙、
３６：テーパ付き固定ピン、
３７：テーパ付き可動ピン、
３８：テーパ部。
【図１】
2010064847.tif 000003
【図２】
2010064847.tif 000004
【図３】
2010064847.tif 000005
【図４】
2010064847.tif 000006
【図５】
2010064847.tif 000007
【図６】
2010064847.tif 000008